(57)【要約】      （修正有）【課題】防御壁は上部から猿に侵入され、下部から猪に進入される問題がある。また、果樹の実を猿から守る有効な手段がなく、網や見張りで対応している。【解決手段】防御壁の上部や下部に釘型獣撃退具を設置して、猿や猪等の獣を撃退する。釘型獣撃退具を設置する事によって、従来技術の防御壁の高さ、約１００センチの半分、約５０センチにする事や、ワイヤー等の線と組み合わせる事によって、安価で簡単な防御壁や防御柵が設置できる。また、木の幹や枝、或いは獣が飛び移る空中に釘型獣撃退具を設置して、果樹の実を猿等から守る。細長い長尺物に突起状の釘を持つ釘型獣撃退具は加工性が良く、獣の特質や学習能力に対応した組み合わせで各種の獣撃退手段を講じて、獣を撃退させる事ができる。尚、釘型獣撃退具は電気を使わず、構造がシンプルで故障も無く、他の獣撃退具等との併用ができ、この併用効果で農作物や果樹を獣から守る事ができる。【選択図】図９
2009240295.tif 000002
【特許請求の範囲】
【請求項１】
突起状の釘を持つ、釘型獣撃退具
【請求項２】
請求項１に記載した、釘型獣撃退具であって、防御壁等と組み合わせた、釘型獣撃退具
【請求項３】
請求項１に記載した、釘型獣撃退具であって、ワイヤー、或いは、繊維等の線と組み合わせた、釘型獣撃退具
【請求項４】
請求項１、請求項２、または、請求項３のいずれか一項に記載した、釘型獣撃退具であって、赤や銀色等の光色に着色した、釘型有獣撃退具
【請求項５】
請求項１、請求項２、請求項３、または、請求項４のいずれか一項に記載した、釘型獣撃退具であって、他の獣忌避具、或いは、獣撃退具と併用した、釘型獣撃退具
【発明の詳細な説明】
【技術分野】
【０００１】  本発明は、猿や猪等の有害動物、以下、獣と言う、から、畑の農作物や、果樹を守る為の獣撃退具に関する。
【背景技術】
【０００２】  畑の農作物を、網やトタン等の固定設置型の防御壁で囲って、獣から農作物を守ろうとしていたが、猿には防御壁の上部から侵入され、猪には防御壁の下部を壊されて進入される為、十分な対策が出来ない防御壁で農作物を守ろうとしていた。また、この様な対策では、獣が痛い思いをすることもなく、懲りることもないので、獣に再来されていた。尚、網やトタン等の固定設置型の防御壁は、猿対策として防御壁を高くし、猪対策として防御壁を丈夫にする必要があるので多くの材料と手間をかけないと、十分な獣対策が出来ない現状にある。近年、電気柵が推奨される様になったが、取扱いが専門的で、一般農家の人には設置が難しく、暴風で木が倒れたり、つる草や枝が電気柵に被さったりする山間地では、漏電や故障の問題がある。【０００３】  果樹の実を猿等の獣から守る有効な手段がなく、木全体を網で覆うか、果樹収穫時期は見張りをして獣に荒らされるのを防いでいた。この様な対策では、獣が痛い思いをすることもなく、懲りることもないので、いくら追い払っても獣に再来されていた。木全体を網で覆う手段は、木の枝等に網が絡まったりして木を痛める問題が有る。また、網で覆われた果樹の収穫作業は、網が邪魔になり、網の撤去等の労働的負担が大きな損失と成っていた。【０００４】  畑や果樹園に美味しい食べ物があることを知った獣は、それを食べる為の学習能力で戦略を駆使して必死になる。獣被害の範囲と獣被害頻度が増大する山間地農業にとっては、若者が都会に出た高齢化農業で獣対策が必要になり、平地農業等との競争で、厳しい状況下での生産コストが上がり、未曾有の危機を迎えていると言える。この様な状況下で獣対策を行うためには、難しい電気等の知識がなくても、農家の人の視聴覚で獣と対峙し、安価で簡単な工夫を施す事で獣を撃退できる事が要求されている。
【発明の表示】
【発明が解決しようとする課題】
【０００５】  防御壁の設置コストを抑えた、猿や猪等の獣対策手段を確立する必要がある。また、果樹の猿対策には有効な手段が無く、網掛けや見張りで対策を講じていたが、この様な対策手段では、獣被害増大に伴って、立ち行かなくなる。山間部の農業は、経営の危機を迎えている。尚、電気柵は取扱いが専門的で、設置や故障の対処が難しい。平地では良いとしても、山間地では、暴風で木が倒れたり、つる草や枝が電気柵に被さったりして、漏電や故障を引き起こす問題がある。
【０００６】  網やトタン等の設置固定型防御壁で農作物を囲う方法は、猿には、上部から侵入され、猪には、下部や中部を壊されて進入される為、防御壁を高く丈夫にする必要があり、多くの手間と材料を要していた。また、防御壁を高くする事で、農作物に必要な日当たりや風通しを悪くする弊害があった。
【０００７】  果樹を猿から守る為に木全体を網で覆うか、見張りをしていたが、網と手間の損失が大きく、木の枝に網が絡まったりして木や網を痛め、網が収穫作業の邪魔になる問題がある。また、猿が痛い思いをすることもなく、懲りることもないので再来されていた。
【０００８】  獣被害の増大や高齢化等で、農業意欲を無くしそうな山間農家の人にも、本発明の釘型獣撃退具を提供する事によって、簡単に釘型獣撃退具の設置ができ、また、難しい電気などの知識を必要としないので、常日頃から獣と向き合い農作物を守っている視聴覚で設置を工夫して、獣に痛い思いや怖い思いをさせ、再来を防ぐ事が要求される。獣は、農作物の美味しさを知ると諦めきれないので、美味しい食べ物を食べる為の学習能力で戦略を駆使して必死になる。この欲求が、人間の施した、安価、簡単を理想とした獣対策手段を上回った時に、獣に突破される可能性が有る。この様な場合には、釘型獣撃退具と他の獣撃退具等との併用が必要になる。よって、他の獣撃退具や獣忌避具と併用しても安全で問題が無い事が要求される。
【問題を解決する為の手段】
【０００９】  本、発明は、長尺物の、フラットバー、約１５ミリ角のアングル、或いは、直径約１５ミリのパイプ等に突起状の釘を持つ、釘型獣撃退具である。分かり易くは、釘が最も先端の鋭い、細くて強力な獣撃退具と成る。よって、長尺物なら、平形や四角形、或いは、丸棒等の各種材質の材料に突起状の釘を持てば、いずれも、釘型獣撃退具と成る。突起状の釘を持つ長尺物の寸法は、大きくても構わないが、猿や猪等の獣撃退に必要な強度があれば良い。尚、釘には、太さ、長さ、ステンレス材等、各種色々あるが、獣に曲げられない太さや耐久性が有れば良い。また、釘状の突起物を持つ長尺物は、建築部材の様な厚さや太さを必要としない。例えば、フラットバーに突起状の釘を持つ、釘型獣撃退具であれば、必要な性能を維持して材料コストを制限すると、肉厚１〜３ミリ、幅約１５ミリから成るフラットバーに、先端の鋭い突起状の釘を付けた釘型獣撃退具と成る。分かり易くは、金属系のフラットバーに釘状の突起物を接合する等で形成される。手作りの場合には、フラットバーに穴を開けて釘を打ち込んで接着しても良い。また、金属系のフラットバーは、添加物を抑え純鉄に近づけ、肉厚を薄くする事で延性が良くなり自在に曲げられる。また、合金成分調整、例えば、炭素の添加で曲がり難くする事ができるし、クロームやニッケルを添加することで、錆びないステンレスにもなる。用途や価格等から、好みの物を用いて構わない。後述する、獣忌避線や防御柵と組み合わせた釘型獣撃退具や、従来技術で設置されている防御壁に設置する釘型獣撃退具には、曲がり難いフラットバー、アングル、或いは、パイプ等から成る釘型獣撃退具を用いる。果樹の木の幹や枝に設置する釘型獣撃退具には、自在に曲げ易い金属系フラットバー、または、繊維系バンドから成る釘型獣撃退具を用いる。長尺物のフラットバー、アングル、パイプ、平形、四角形、丸棒、或いは、繊維系バンド、木材の平形、四角形、丸棒等に突起状の釘を持つ、釘型獣撃退具を、以下、本、撃退具と言う。強力な金属系は、建築部材の様な厚さや太さを必要としないので、薄く、細くすることで、材料コストが安価になる。尚、猿が、木から木に飛び移ることを防止する為に空中に設置する、本、撃退具は、金属系の角や丸形が好ましいが、四角形や丸形の木材に釘を付けた、本、撃退具を用いても構わない。
【００１０】  細長い長尺物の、フラットバー、アングル、或いは、パイプ等に突起状の釘を持つ、釘型獣撃退具は、いずれの釘型獣撃退具も同様の獣撃退効果が有り、地面に打ち込んだ保持縦棒や防御壁等に設置できる。また、一般的なサンダーや金切り鋏等で適当な長さに切断でき、重ねたりして繋ぐ事もできる。尚、釘型獣撃退具は、防御壁や防御柵等に、農家の人が一般的に使う、紐や針金、或いは、ビスネジ等で設置ができる。よって、農家の人が獣と対峙した視聴覚的な考えで、この農作物、或いは、果樹なら、この程度の材料と設置手間でと考える組み合わせで、釘型獣撃退具を設置すれば良い。以下に、一般的な、上記重複を省略して、その設置例を示す。
【００１１】  網やトタン等の設置固定型防御壁で農作物を囲う、従来技術の防御壁は、防御壁の高さが１００センチ有っても、猿等には、上部から侵入され、猪等には、下部や中部を壊されて進入される為、防御壁を高く丈夫にする必要がある。よって、多くの手間と材料を要していた。尚、防御壁を高くする事で、農作物に必要な日当たりや風通しを悪くする弊害があり、安価で万能と言える、有効な手段がない現状にある。フラットバーやアングル等から成る、本、撃退具がこの問題を解決する。猿等の対策として上部、猪等の獣対策として下部や中部に、本、撃退具を設置して置けば良い。防御壁を乗り越えようとした猿等が上部に手をかければ突起状の釘に刺さる。猪等の獣が下部を突破しようとすると、突起状の釘で鼻等を痛める。獣は怖い思いをした事は覚えているし、群れを成しているので、一匹が怪我をすれば、この学習効果で群れが撤退してくれる。また、曲がり難い、本、撃退具を用いる事で、獣の撃退と合わせて防御壁の補強にも成る。この様にした防御壁を、以下、従来型防御壁と組み合わせた釘型獣撃退具と言う。
【００１２】  本、撃退具を備えた防御壁を新規に設置するには、従来型防御壁と同形で防御壁の高さを、従来型の半分の高さ、約５０センチにして設置する。次に、防除壁の上部に、アングル、または、パイプ等から成る、本、撃退具を取り付ければ良い。尚、防御壁の壁部が網の場合は、パイプから成る、本、撃退具が若干簡単に設置できる。地面から約５０センチの高さに設置した防御壁と、本、撃退具を組み合わせた防御壁を、以下、新規防御壁と組み合わせた釘型獣撃退具と言う。防御壁の上部に設置された、本、撃退具が猿や猪等の獣を撃退する。尚、防御壁の高さは、約４０センチ有れば、上部に設置された、本、撃退具が猿や猪等を撃退する役目を果たす。何故なら、猿等が防御壁の上部に手をかける事ができない。また、警戒心が特に強いと言われる猪等は、上部に設置されている、本、撃退具を警戒して鼻等で観察し、危険性を感じて突破を諦める。設置方法は、安全を考えて１０センチ、プラスした、高さ、約５０センチにする事が好ましい。尚、猪の撃退効果を高める目的で、防除壁の下部、約２０センチの高さに、本、撃退具を組み合わせて設置しても良い。
【００１３】  新規に、本、撃退具を備えた、安価で簡単な防御柵を設置するには、釘型獣撃退具とワイヤー、或いは、繊維等の線を組み合わせて、保持縦棒に固定すれば良い。この、設置方法は、アングルに突起状の釘を持つ、本、撃退具を、地面上約４０センチの高さに設置し、その上約１０センチ、及び、地面との中間の地面上約２０センチに、市販ワイヤー、或いは、繊維等の線、以下、獣忌避線と言う、を取り付ければ良い。地面上約４０センチの高さに設置された、本、撃退具を避けた獣が、その上下を突破しようとしても、獣忌避線が邪魔に成り突破できない。また、獣が無理な行動をすると、本、撃退具に刺さる。この様に、獣忌避線と組み合わせた、本、撃退具は、設置の高さが約４０センチ、その上方約１０センチの獣忌避線と、地面との中間の地面上約２０センチの獣忌避線から成る。本、撃退具を備える事で、一般の防御壁の約半分の高さ、約５０センチの低い防御柵で、猿や猪等の獣を怖がらせて撤退させる事ができる。この様に、獣忌避線と、本、撃退具を組み合わせる事で安価な獣撃退防御柵ができる。また、農作物に必要な日当たりや風通しの問題もなくなる。この様に設置した、本、撃退具を、以下、獣忌避線組み合わせ釘型獣撃退具と言う。
【００１４】  獣忌避線組み合わせ釘型獣撃退具よりも更に簡単に、本、撃退具を設置して獣を撃退するには、意願２００８−３８２７の有害獣忌避具保持棒を活用して、光物テープ取り付け部に、フラットバーに突起状の釘を持つ、本、撃退具を設置すれば良い。この獣撃退具を以下、有害獣忌避具と組み合わせ釘型獣撃退具と言う。獣撃退性能は劣るが、安価で簡単に設置できるメリットは大きい。尚、撃退具を設置していて、猪に荒らされ始めた場合には、獣忌避線の下や近傍に、地面に置くだけで猪を撃退する、移動式の実願２００７−８７４４の１枚格子型猪撃退具、または、実用新案登録第１３９６４６号の２枚格子Ｘ型猪撃退具を併用して設置する事によって、簡単に猪を撃退する事ができる。本、撃退具は、電気などを使わず、構造が簡単なので、農家の人の視聴覚で獣と対峙し、この農作物なら、あまり獣が来ないので、この方法でも畑を荒らされない等の判断や、群れを成す獣は、最初に、少数で偵察してから、群れが来るので、群れに荒らされる前に、簡単に設置できる、本、撃退具が必要に成る。農家の人の視聴覚で、どの様な方法を採用して、本、獣撃退具を組み合わせて設置するか決めれば良い。農家にとっては、せっかく作った農作物の収穫時に獣に荒らされては、苦労が水の泡になる。よって、獣に荒らされる前に、簡単で直ぐ設置できる、本、撃退具が必要になる。有害獣忌避具組み合わせ釘型獣撃退具がこの役目を果たす。先ず獣を食い止めておいて、必要なら他の獣撃退具を併用して農作物を守れば良い。
【００１５】  本、撃退具は、使用中の従来型防御壁と組み合わせた釘型獣撃退具として、簡単に設置して獣を撃退できる。また、新規防御壁と組み合わせた釘型獣撃退具、或いは、獣忌避線組み合わせ釘型獣撃退具等として用いる事で、一般的な防御壁の高さ、約１００センチの半分で獣を撃退できる。本、撃退具が約４０〜５０センチの高さに設置されていれば、猿等の獣が防除壁等の上部に手をかけることができないので突破される事はない。猿等が、上部に手も掛けないで勢いよく飛び越えれば、勢いよく、本、撃退具に刺さる痛さや、怖さ、怪我の程度が大きい。群れで行動する猿等の獣は、一匹が怪我をすれば、他の猿も危険を感じて撤退する。また、地上約４０〜５０センチに設置されている、本、撃退具が十分に猪等の獣対策の役目も果たす。警戒心が特に強いと言われる猪の習性で、先ず警戒して、上部に設置されている、本、撃退具を観察して危険性を感じて突破を諦める。尚、諦めきれない獣が無理な行動をすれば、その無理で、本、撃退具に刺さり、その痛さで突破を諦める。猿や猪等の獣は群れを成しているので、一匹が怪我をすれば、他の獣も、本、撃退具の怖さを知り突破を諦めて退散する。また、本、撃退具に費用を要しても、それ以上に、防御壁を低く出来るコスト低減メリットが大きい。また、防御壁を低くする事で、農作物に必要な日当たりや風通しが良くなり、農作物に好結果をもたらす。取扱いや、着脱が簡単な本、撃退具は、獣に畑が荒らされる前に設置し、本、撃退具を必要としない時期に外せば、作業の邪魔になることもなく通常通りの作業が出来る。取り外した、本、撃退具は、別の場所に転用して効率良く活用できる。
【００１６】  本、撃退具を果樹の木の幹、或いは、枝等に設置するだけで、猿等の獣を撃退できる。金属系のフラットバーで、炭素の添加を抑えた金属から成る、本、撃退具は延性が良く、自在に曲げ加工できる。尚、肉厚が薄いフラットバーや繊維系のバンドから成る、本、撃退具は、更に曲げ易くなる。本、撃退具を、木の幹や枝に合わせた形状に曲げて、必要な長さに切断して設置すれば良い。本、撃退具を木の幹や枝に設置するには、一般的な紐や針金等で簡単に取り付ける事ができ、また逆に、取り外す事もできる。本、撃退具が設置された木に、猿等の獣が登ろうとすると、本、撃退具の突起状の釘に刺さる。猿等の獣は痛い怖い思いをし、この学習効果で果樹の実を取る事を諦め撤退する。隣の木にも、本、撃退具を設置して置けば、猿が隣の木から飛び移って侵入する事を防止できる。また、パイプ、或いは、角材の四方に突起状の釘を持つ、全長約１メートルの、本、撃退具を、猿等が飛び移りそうな、木と木や枝の間の空中に、ゴム紐等で留めて設置して置けば、より安心できる。獣が木の幹や枝に設置された、本、撃退具を避けて飛移る事ができなくなる。尚、着脱が簡単な本、撃退具は、果樹の実が熟し始める時期、獣に果樹の実がとられる前に、本、撃退具を設置し、収穫の時に外せば、作業の邪魔になることもなく通常通りの作業が出来る。取り外した、本、撃退具は別の果樹の木等に活用する事ができる。尚、獣が美味しい果物を食べたいと言う欲求が、本、撃退具の怖さを上回って突破されそうな場合には、実用新案登録第３１３９６４７の刃形のＬ字型平鋼猿撃退具を併用して、猿を撃退する効果を向上させる事もできる。
【００１７】  本、撃退具の存在を獣に分からせ、獣を怖がらせて警戒させる事によって、畑の農作物や果樹を効果的に守る事ができる。よって、本、撃退具を猪等の獣が嫌う、自然界に無い異様な、赤や銀色の光色に着色して置けば、本、撃退具を警戒して避ける。また、本、撃退具で怖い思いをした学習で、自然界に無い異様な光色に脚色された、本、撃退具の痛さや怖さで、獣忌避色として覚え、更に嫌い警戒して避けてくれる様になる。尚、異様に目立つ光色に着色した、本、撃退具は、作業に従事する人にとっても、目立って安全で、組立てたり、撤去したりする際に、忘れを防ぐ事にもつながり便利である。尚、本、撃退具を保管する時は、塩ビ製の突起状の釘カバーとして、細い塩ビチューブを切って、突起状の釘に被せる等で、農家の人でも簡単な安全対策ができる。
【００１８】    獣被害の増大や高齢化で、農業意欲を無くしそうな農家の人にも、本発明の釘型獣撃退具を提供する事によって、簡単に各種の網や、トタン板、獣忌避線等と組み合わせた防除壁や防御柵に、本、撃退具が設置できる。また、新規に通常高さの半分の高さの防御柵等を設置する事ができる。本、撃退具の設置には、難しい専門的な知識を必要としないので、農家の人が、常日頃から獣と向き合い農作物を守っている視聴覚で、簡単に設置を工夫できる。本、撃退具よって、獣に痛い思いや怖い思いをさせ、再来を防ぐ事ができる。獣は、農作物の美味しさを知ると諦めきれないので、戦略を駆使して必死になる。この欲求が、人間の施す、安価、簡単を主眼とした獣対策手段を上回った時に突破される可能性が有る。よって、農家の人も、獣の学習能力に対応した戦略が必要に成る。本、撃退具は、電気などを使わず、複雑な構造が無いので、他の獣忌避具や獣撃退具と接触しても漏電したり故障したりしない為、安心した併用ができる。例えば、急を要する場合には、意願２００８−３８２７の有害獣忌避具を活用して、本、撃退具を設置し、更に獣撃退効果をあげる為に、移動式の実願２００７−８７４４の１枚格子型猪撃退具等と併用する等である。また、必要なら果樹の木の幹には、実案登録第３１３９６４７号の歯形のＬ字型平鋼猿撃退具等を併用しても良い。本、撃退具は、他の獣撃退具や獣忌避具と併用しても、漏電や故障の問題が無いので、安心して、各種の戦略を駆使して、確実に獣を撃退する事ができる。
【発明の効果】
【００１９】本、撃退具は、使用中の従来型防御壁と組み合わせた釘型獣撃退具として、簡単に設置して獣を撃退できる。尚、従来技術では、畑の農作物を、網やトタン等の固定設置型の防御壁で囲って、獣から農作物を守ろうとしていたが、猿には防御壁の上部から侵入され、猪には防御壁の下部を壊されて進入され易く、十分な対策が出来ない防御壁で農作物を守ろうとしていた。この様な従来型の防御壁では、獣が痛い思いをすることもなく、懲りることもないので、獣に再来されていた。よって、猿対策として防御壁を高くし、猪対策として防御壁を丈夫にする必要がある為、多くの材料と手間をかけないと、十分な獣対策が出来ない現状にあった。本、撃退具は、使用中の不完全な従来型防御壁と組み合わせた設置で、猿や猪等の獣を撃退する効果を高め、防御壁の補強の役目も果たす事ができる。
【００２０】  新規防御壁と組み合わせた釘型獣撃退具の防御壁、或いは、獣忌避線組み合わせ釘型獣撃退具の防御柵は、一般的な防御壁や防御柵の高さ、１００センチの半分、約４０〜５０センチで、猿や猪等の獣を撃退し、畑の農作物を守る事ができる。尚、本、撃退具に費用を要しても、それ以上に、従来技術の防御壁等を低く出来るコスト低減が大きい。また、防御壁等を低くする事で、農作物に必要な日当たりや風通しが良くなり、農作物に好結果をもたらす。
【００２１】  本、撃退具を果樹の木の幹や枝等に設置するだけで猿等を撃退できる。果樹の実を猿等から守る有効な手段がなく、木全体を網で覆うか、果樹収穫時期は見張りをして猿等に果樹の実を取られるのを防いでいた。この様な対策では、猿等が痛い思いをすることもなく、懲りることもないので、いくら追い払っても再来されていた。木全体を網で覆う手段は、木の枝に網が絡まったりして木を痛める問題が有る。また、網で覆われた果樹の収穫作業は、網が邪魔になり、網の撤去等の労働的負担が大きく、その手間と網の費用が大きな損失と成っていた。隣の木や、猿が飛び移る空中にも、本、撃退具を設置して置けば、猿が飛び移って、果樹の実を取る事を防げる。着脱が容易な、本、撃退具は、果樹の実が熟し始める時期、獣に果樹がとられる前に、本、撃退具を設置し、収穫の時に外せば、作業の邪魔になることもなく、通常通りの作業が出来る。尚、取り外した、本、撃退具は別の場所に活用できる。
【００２２】  従来型防御壁と組み合わせた釘型獣撃退具、新規防御壁と組み合わせた釘型獣撃退具、獣忌避線組み合わせ釘型獣撃退具、或いは、果樹の木の幹や枝等に設置する本、撃退具は着脱が容易なので、各所に転用でき、農作業の邪魔になる事が少なく、効率よく活用できる。尚、突起状の釘部に一般的な塩ビ製チューブから成る安全カバーを付けて置けば安全である。また、本、撃退具の存在を、獣に分からせ、怖がらせて警戒させる事によって、畑の農作物や果樹を効果的に守る事ができるので、本、撃退具を猪等の獣が嫌う、赤や銀色の光色に着色して置けば、獣が嫌い警戒してくれる。自然界に無い赤や銀色の光色に着色された、本、撃退具の痛さや怖さを知った獣は、この学習で嫌い、獣忌避色と成り、更に警戒し、本、撃退具を避け近づかなく成る。よって、より効果的に農作物を守る事ができる。尚、目立つ光色に着色した、本、撃退具は、作業者にも目立って安全で、着脱する際に忘れを防ぐ事ができる。
【００２３】  本、撃退具は、電気柵と異なり電気を使わず、また、機械的な複雑な構造も無いので、他の獣忌避具や獣撃退具と接触しても漏電したり故障したりする問題が無い。また、専門的な知識を必要としない。よって、他の獣忌避具や獣撃退具と併用した獣対策を行うことができる。例えば、意願２００８−３８２７有害獣忌避具や、移動式の地面に置くだけで、猪を撃退する実願２００７−８７４４の１枚格子型猪撃退具、或いは、実用新案登録第１３９６４６号の２枚格子Ｘ型猪撃退具と併用して活用する事によって、効果的な獣対策手段を講ずる事ができる。また、本、撃退具を設置した防御壁や防御柵の出入り口は開口し、この開口部に、特願２００８−２３３１０の突き出し格子逆ｙ型獣撃退具を設置して置けば、折りたたみ移動できる獣撃退具なので、折りたたんで脇に置いて、簡単に人が出入りできる。また、作業後に、突き出し格子逆ｙ型獣撃退具を、開口部に戻して設置して置けば良い。
【００２４】  獣被害の増大や高齢化等で、農業意欲を無くしそうな人にも、本、撃退具を提供する事によって、農家の人の視聴覚で獣と対峙し、獣を撃退する工夫手段を施す事ができるので、広い用途で活用できる。例えば、各種の設置方法の中から、この農作物なら、この、設置コストで獣を阻止できると言う様に使い分ける事ができる。また、簡単に、本、撃退具の設置ができ、難しい電気などの知識を必要としないので、常日頃から獣と向き合い農作物を守っている視聴覚で設置手段を講じて、獣に痛い思いや怖い思いをさせ再来を防ぐ事ができる。獣は、農作物の美味しさを知ると諦めきれないので、本、撃退具と他の獣撃退具や獣忌避具と組み合わせた併用が必要になる。本、撃退具は、他の獣忌避具や獣撃退具と併用しも安全で問題が無い。
【００２５】  本、撃退具は、獣の個体数を減らさず、猿や猪等の獣は自然の中で食べ物を見つけて欲しい、農家の人が苦労して作った農作物や果樹の実は取らないで欲しいとの要望に応えるための獣撃退具である。よって、農家の人は、獣捕獲という危険な作業をしなくてすむ。また、本、撃退具で作物を守ることによって、狩猟の専門家が、箱わなや、囲いわなに、獣を呼び餌で誘い込み易くなる。何故なら、簡単に畑の農作物を取っていた獣が、本、撃退具によって食べ物が取れなくなれば、呼び餌で誘い込まれる確率が上がる。よって、有害獣対策協議会等の獣捕獲者との連携を助力する、本、撃退具と成る。
【考案を実施する為の最良の形態】
【００２６】  本発明の実施の形態を図１〜図１８に基づいて説明する。細長い長尺物の、２のフラットバー、３のアングル、或いは、４のパイプ等に１の突起状の釘を持つ、釘型獣撃退具は、いずれの釘型獣撃退具も獣を撃退する効果が有る。また、一般的なサンダーや金切り鋏等で適当な長さに切断でき、繋ぐ事もできる。尚、釘型獣撃退具は、９の地中に立てた、８の保持縦棒や、５の従来型防御壁等、或いは、果樹の木や空中に、農家の人が一般的に使う、紐や針金、或いは、ビスネジ等で、簡単に設置できる。よって、農家の人が獣と対峙した視聴覚で、この農作物や果樹なら、この釘型獣撃退具と手間でと考え、釘型獣撃退具を設置すれば良い。下記に、上記重複を省略して、その推奨例を示す。
【００２７】  図１〜図５、と、図１６〜図１８に示す釘型獣撃退具は、２のフラットバー、３のアングル、または、４のパイプ等に１の突起状の釘を持つ、釘型獣撃退具である。釘型獣撃退具を、各種の防御壁や獣忌避線と組み合わせて、防御壁や防除柵を設置して農作物を守る。また、木の幹や枝、或いは、空中に釘型獣撃退具を設置して果樹を守る。
【００２８】  図７、図８に、５の従来型防御壁と組み合わせた釘型獣撃退具の設置例を示す。５の従来型防御壁の上部に設置した、２のフラットバーに、１の釘を持つ釘型獣撃退具で猿等を撃退し、下部に設置した、釘型獣撃退具で猪等を撃退する。尚、図１〜図５に示す、いずれの釘型獣撃退具も獣を撃退ができるが、コストと設置の容易さから、２のフラットバーに、１の釘を持つ釘型獣撃退具を、従来型防御壁と組み合わせ、設置例を示す。
【００２９】  図９、図１０に、４のパイプに１の釘を持つ釘型獣撃退具を、６の新規防御壁と組み合わせた釘型獣撃退具を実施例として示す。６の新規防御壁の高さは、一般的な従来型の防御壁の半分の高さ、９の地面から、約５０センチにして、新規防御壁の上部に釘型獣撃退具を設置して猿や猪等の獣を撃退する。４のパイプに、１の釘を持つ釘型獣撃退具は、上部と獣進入方向に釘が突き立っているので、獣の撃退効果が、２のフラットバーに、１の釘を持つ釘型獣撃退具を用いるよりも好ましい。防御壁の下部に、２のフラットバーに、１の釘を持つ釘型獣撃退具を設置した。
【００３０】  図１１、図１２に、７のワイヤー、或いは、繊維等の線と組み合わせた釘型獣撃退具の設置例を示す。８の保持縦棒の上部、９の地面上約５０センチと約２０センチに、７のワイヤー、或いは、繊維等の線を設置し、地面上約４０センチに釘型獣撃退具を設置する。３のアングルに、１の釘を持つ釘型獣撃退具は、上方と獣の進入方向に、突起状の釘を備えているので、獣の撃退効果が大きい。また、３のアングルの強度が、猿や猪等の無理な行動に対応する。よって、７のワイヤー、或いは、繊維等の線と組み合わせた釘型獣撃退具の設置例とした。
【００３１】  図１３、図１４に、１１の意願２００８−３８２７、有害獣忌避具の保持棒活用例を示す。１１の獣忌避具保持棒の光物テープ取り付け部に、２のフラットバーに、１の釘を持つ釘型獣撃退具を設置し、７のワイヤー等の線を、獣忌避線保持部に設置する。図１１、図１２に示した、獣忌避線組み合わせ釘型獣撃退具より獣撃退効果が劣るが、安価で簡単に設置できるメリットは大きい。農家にとっては、せっかく作った農作物の収穫時に獣に荒さては、苦労が水の泡になる。獣に荒らされる前に簡単にスピーディーに設置できる釘型獣撃退具が必要になる。先ず獣を食い止めておいて、農家の人の視聴覚で必要なら、他の獣撃退具を併用して、農作物を守れば良い。
【００３２】  図１５に、１１の意願２００８−３８２７、有害獣忌避具保持棒等の活用例上面図と、他の獣撃退具を併用して農作物を守る例を示した。防御柵の近傍に、１０の獣の足跡、または、獣道が確認されたら、移動式で地面に置くだけで猪を撃退する、１２の実願２００７−８７４４の１枚格子型猪撃退具、または、１３の実用新案登録第１３９６４６号の２枚格子Ｘ型猪撃退具を併用して設置する事によって、簡単に猪を撃退する事ができる。本、撃退具は、電気などを使わず、構造がシンプルなので、農家の人の視聴覚で獣と対峙し、この農産物なら、あまり獣が来ないので、この方法でも畑を荒らされる事はないと言う判断で、釘型獣撃退具の組み合わせや、他の獣撃退具との併用を決めれば良い。尚、防御柵の出入り口は開口し、１４の特願２００８−２３３１０の突き出し格子逆ｙ型獣撃退具を設置して置けば、折りたたみ移動できる獣撃退具なので、折りたたんで人が出入りし、作業後に、突き出し格子逆ｙ型獣撃退具を戻して設置する事で、安価で簡単な出入口に成る。
【００３３】  図１８に、１６の果樹の実を獣から守る釘型獣撃退具の設置方法を示す。図１と図２に示した、２のフラットバーに１の釘を持つ、１７の木用釘型獣撃退具は、延性が良く、自在に曲げられる肉厚の薄い２のフラットバー、或いは、繊維系の同形バンドから成る。１７の木用釘型獣撃退具を木の幹や枝に合わせた形状に曲げて、適当な長さに切断し、一般的な紐や針金等で木の幹や枝に設置すれば良い。猿等の獣が、１６の果樹の実を取る為に木に登ろうとすると、１７の木用釘型獣撃退具の突起状の釘に刺さる。隣の木にも、１７の木用釘型獣撃退具も設置して置けば、猿が隣の木に登れなくなるのでで、隣の木から飛び移って侵入する事を防止できる。また、図１６、図１７に、４のパイプの四方に１の釘を持つ、１８の空中用釘型獣撃退具を示した。１８の空中用釘型獣撃退具を、猿等が飛び移りそうな空中に、ゴム紐等で設置して置けば、空中を飛び移る事ができなくなる。尚、猿等は、美味しい、１６の果樹の実を食べたいと言う欲求が、本、撃退具の怖さを上回った時に、木に登ろうとするので、１５の実用新案登録第３１３９６４７の刃形のＬ字型平鋼猿撃退具を併用し、撃退効果を上げても良い。
【００３４】  図１〜図６と図１６〜図１８に示す釘型獣撃退具を、自然界に無い、赤や銀色の光色に着色する事によって、釘型獣撃退具の存在が分かり易くなり、獣が警戒して近づかなくなる。一度痛い思いや怖い思いをした獣や、その群れは、その学習で、赤や銀色の光色に着色された、釘型獣撃退具を覚え、警戒し怖がって避ける様になる。尚、目立つ光色に着色した、釘型獣撃退具は、作業に従事する人にとっても、目立って安全であり、設置したり撤去したりする際に、忘れを防げ便利である。
【図面の簡単な説明】
【００３５】
【図１】  フラットバーに突起状の釘を持つ、釘型獣撃退具の正面図
【図２】  フラットバーに突起状の釘を持つ、釘型獣撃退具の側面図
【図３】  アングルに突起状の釘を持つ、釘型獣撃退具の正面図
【図４】  アングルに突起状の釘を持つ、釘型獣撃退具の側面図
【図５】  パイプに突起状の釘を持つ、釘型獣撃退具の正面図
【図６】  パイプに突起状の釘を持つ、釘型獣撃退具の側面図
【図７】  従来型防御壁と組み合わせた、釘型獣撃退具の正面図
【図８】  従来型防御壁と組み合わせた、釘型獣撃退具の側面図
【図９】  新規防御壁と組み合わせた、釘獣撃退具の正面図
【図１０】  新規防御壁と組み合わせた、釘型獣撃退具の側面図
【図１１】  獣忌避線と組み合わせた、釘型獣撃退具の正面図
【図１２】  獣忌避線と組み合わせた、釘型獣撃退具の側面図
【図１３】  有害獣忌避具組み合わせ釘型獣撃退具の正面図
【図１４】  有害獣忌避具組み合わせ釘型獣撃退具の側面図
【図１５】  釘型獣撃退具と他の獣撃退具併用例の上面図
【図１６】  パイプに突起状の釘を持つ、木用釘型獣撃退具の正面図
【図１７】  パイプに突起状の釘を持つ、木用釘型獣撃退具の側面図
【図１８】  釘型獣撃退具の果樹の木への設置と他の撃退具の併用図
【符号の説明】
【００３６】  １  突起状の釘
２  フラットバー
３  アングル
４  パイプ
５  従来型防御壁
６  新規防御壁
７  ワイヤー、或いは、繊維等の線
８  保持縦棒
９  地面
１０獣の足跡、または、獣道
１１意願２００８−３８２７、有害獣忌避具保持棒
１２実願２００７−８７４４、１枚格子型猪撃退具
１３実用新案登録第３９６４６号、２枚格子Ｘ型猪撃退具
１４特願２００８−２３３１０、突き出し格子逆ｙ型獣撃退具
１５実用新案登録第３１３９６４７号、刃形のＬ字型平鋼猿撃退具
１６果樹の実
１７フラットバー、或いは、繊維系のバンドに突起状の釘を持つ、木用釘型獣撃退具
１８パイプの四方に釘を持つ、空中用釘型獣撃退具
【図１】
2009240295.tif 000003
【図２】
2009240295.tif 000004
【図３】
2009240295.tif 000005
【図４】
2009240295.tif 000006
【図５】
2009240295.tif 000007
【図６】
2009240295.tif 000008
【図７】
2009240295.tif 000009
【図８】
2009240295.tif 000010
【図９】
2009240295.tif 000011
【図１０】
2009240295.tif 000012
【図１１】
2009240295.tif 000013
【図１２】
2009240295.tif 000014
【図１３】
2009240295.tif 000015
【図１４】
2009240295.tif 000016
【図１５】
2009240295.tif 000017
【図１６】
2009240295.tif 000018
【図１７】
2009240295.tif 000019
【図１８】
2009240295.tif 000020